(57)【特許請求の範囲】
【請求項１】
照明装置であって、
少なくとも１つの第１の固体発光素子と、
少なくとも１つの第１の反射器と、
少なくとも１つの第１の光学装置と、を備え、
前記第１の光学装置は、少なくとも第１の光学装置構造、第２の光学装置構造、および第３の光学装置構造を持ち、
前記第１の光学装置構造は、第１構造第１表面、および第１構造第２表面を持ち、
前記第２の光学装置構造は、第２構造第１表面、および第２構造第２表面を持ち、
前記第３の光学装置構造は、第３構造第１表面、および第３構造第２表面を持ち、
前記第１構造第２表面は、前記第２構造第１表面と接触しており、
前記第２構造第２表面は、前記第３構造第１表面と接触しており、
前記第１の光学装置構造の第１の領域は、前記第１構造第２表面の少なくとも一部よりなり、
前記第２の光学装置構造の第１の領域は、前記第２構造第１表面の少なくとも一部よりなり、
前記第１の光学装置構造の前記第１の領域は、第１光学装置構造第１屈折率を持ち、
前記第２の光学装置構造の前記第１の領域は、第２光学装置構造第１屈折率を持ち、
前記第２光学装置構造第１屈折率は、前記第１光学装置構造第１屈折率より大きく、
前記第１の固体発光素子は、該第１の固体発光素子が照明されて第１の固体発光素子光を発する場合に、前記第１の固体発光素子光の少なくとも一部が、前記第２の光学装置構造内に入るように、位置され、かつ、方位付けされており、
前記第１の反射器は前記第１構造第１表面を覆っている、照明装置。
【請求項２】
請求項１に記載の照明装置であって、さらに、少なくとも１つの第１のルミネッセント材料を備え、該第１のルミネッセント材料は、前記第１の固体発光素子が照明されて第１の固体発光素子光を出射し、かつ前記第１のルミネッセント材料の少なくとも一部が励起されて第１のルミネッセント材料出射光を出射する場合に、前記第１の固体発光素子光の少なくとも一部と、前記第１のルミネッセント材料出射光の少なくとも一部とが混合するように、位置されている、照明装置。
【請求項３】
請求項１または請求項２に記載の照明装置であって、
前記第２光学装置構造の第２の領域は、前記第２構造第２表面の少なくとも一部よりなり、
前記第３光学装置構造の第１の領域は、前記第３構造第１表面の少なくとも一部よりなり、
前記第２光学装置構造の前記第２の領域は、第２光学装置構造第２屈折率を持ち、
前記第３光学装置構造の前記第１の領域は、第３光学装置構造第１屈折率を持ち、
前記第２光学装置構造第２屈折率は、前記第３光学装置構造第１屈折率より大きい、照明装置。
【請求項４】
請求項３に記載の照明装置であって、前記第２光学装置構造第１屈折率と、前記第２光学装置構造第２屈折率とは、実質的に等しい、照明装置。
【請求項５】
請求項３または請求項４に記載の照明装置であって、さらに、少なくとも１つの第２の固体発光素子、および少なくとも１つの第２の光学装置を備え、
前記第２の光学装置は、少なくとも第４の光学装置構造、第５の光学装置構造、および第６の光学装置構造を備え、
前記第４の光学装置構造は、第４構造第１表面、および第４構造第２表面を備え、
前記第５の光学装置構造は、第５構造第１表面、および第５構造第２表面を備え、
前記第６の光学装置構造は、第６構造第１表面、および第６構造第２表面を備え、
前記第４構造第２表面は、前記第５構造第１表面と接触しており、
前記第５構造第２表面は、前記第６構造第１表面と接触しており、
前記第４光学装置構造の第１の領域は、前記第４構造第２表面よりなり、
前記第５光学装置構造の第１の領域は、前記第５構造第１表面よりなり、
前記第５光学装置構造の第２の領域は、前記第５構造第２表面よりなり、
前記第６光学装置構造の第１の領域は、前記第６構造第１表面よりなり、
前記第４光学装置構造の前記第１の領域は、前記第４光学装置構造第１屈折率を持ち、
前記第５光学装置構造の前記第１の領域は、前記第５光学装置構造第１屈折率を持ち、
前記第５光学装置構造の前記第２の領域は、前記第５光学装置構造第２屈折率を持ち、
前記第６光学装置構造の前記第１の領域は、前記第６光学装置構造第１屈折率を持ち、
前記第５光学装置構造第１屈折率は、前記第４光学装置構造第１屈折率より大きく、
前記第５光学装置構造第２屈折率は、前記第６光学装置構造第１屈折率より大きく、
前記第２の固体発光素子は、前記第２の固体発光素子が照明されて、第２の固体発光素子光を出射する場合に、該第２の固体発光素子光の少なくとも一部が、前記第５の光学装置構造内に入るように、位置され、かつ、方位つけされており、
前記第６光学装置構造は、少なくとも第２の光学特徴を備え、該第２の光学特徴は、前記第２の固体発光素子が照明されて第２の固体発光素子光を出射する場合に、これにより、該第２の固体発光素子光の少なくとも一部が、前記第５の光学装置構造内に入り、前記第２の固体発光素子光の前記一部の少なくともいくらかが、該照明装置を、前記第６構造第２表面から出射するように、位置されていることを特徴とする、照明装置。
【請求項６】
請求項５に記載の照明装置であって、前記第２の光学装置は、前記第１の光学装置に対して、前記第１の固体発光素子が照明される場合、これにより、前記第１の固体発光素子光の前記一部の少なくともいくらかが、前記第３の光学装置構造を前記第３構造第２表面から出射し、前記第３構造第２表面から出射する前記第１の固体発光素子光の少なくとも一部が、前記第６構造を前記第６構造第２表面から出射するように、位置され、かつ、方位付けされている、照明装置。
【請求項７】
請求項５または請求項６に記載の照明装置であって、さらに、
少なくとも第１のルミネッセント材料含有領域、および第２のルミネッセント材料含有領域を備え、
前記第１のルミネッセント材料含有領域は、前記第１の固体発光素子が照明されて第１固体発光素子光を出射し、かつ前記第１のルミネッセント材料の少なくとも一部が励起されて第１のルミネッセント材料出射光を出射する場合、前記第１の固体発光素子光の少なくとも一部と、前記第１のルミネッセント材料出射光の少なくとも一部とが混合するように、位置されており、
前記第２のルミネッセント材料含有領域は、前記第２の固体発光素子が照明されて第２の固体発光素子光を出射し、かつ前記第２のルミネッセント材料の少なくとも一部が励起されて第２のルミネッセント材料出射光を出射する場合、前記第２の固体発光素子光の少なくとも一部と、前記第２のルミネッセント材料出射光の少なくとも一部とが混合するように、位置されている、照明装置。
【請求項８】
請求項１ないし請求項７のいずれかに記載の照明装置であって、
前記第３光学装置構造は、少なくとも１つの第１の光学特徴を備え、該第１の光学特徴は、前記第１の固体発光素子が照明されて第１の固体発光素子光を出射する場合、これにより、該第１の固体発光素子光の少なくとも一部が、前記第２の光学装置構造内に入り、前記第１の固体発光素子光の前記一部の少なくともいくらかが、前記第３光学装置構造を前記第３構造第２表面から出射するように、位置されている、照明装置。
【請求項９】
請求項１ないし請求項８のいずれかに記載の照明装置であって、前記第１の光学装置構造は、実質的に均一な屈折率を持ち、前記第２の光学装置構造は、実質的に均一な屈折率を持ち、かつ、前記第３の光学装置構造は、実質的に均一な屈折率を持つ、照明装置。
【請求項１０】
請求項１ないし請求項９のいずれかに記載の照明装置であって、さらに、リム部を有し、該リム部は、該リム部が、前記第３の構造第２表面から離れており、かつこれに垂直な線分であって、かつ、前記第３構造第２表面から伸びる、かつ、前記第３構造第１表面からは離れて伸びる、線分に沿った見晴らしの利く地点からのながめから、前記第１の固体発光素子をブロックするように位置しており、該リム部は前記第３構造第２表面にのみ接触している、照明装置。
【請求項１１】
請求項１ないし請求項１０のいずれかに記載の照明装置であって、さらに、少なくとも１つの第１のルミネッセント材料を備え、前記第１の固体発光素子は、その中に、前記第１のルミネッセント材料の少なくとも一部がまた埋めこまれている、包囲体要素内に埋めこまれている、照明装置。
【請求項１２】
請求項１ないし請求項１１のいずれかに記載の照明装置であって、前記第１の固体発光素子は、発光ダイオードである、照明装置。
【請求項１３】
請求項１ないし請求項１２のいずれかに記載の照明装置であって、さらに、少なくとも第１の反射器を備え、該第１の反射器は、任意の光が前記第１光学装置構造を前記第１構造第１表面より出射すれば、該第１光学装置構造を前記第１構造第１表面より出射する前記光の少なくとも一部は、前記反射器により反射され、かつ前記第１構造第１表面を通って、再び、前記第１光学装置構造内に入るように、配置されている、照明装置。
【請求項１４】
照明方法であって、
第１の固体発光素子光を出射するために少なくとも１つの第１の固体発光素子を照明することであって、前記第１の固体発光素子は、前記第１の固体発光素子光の少なくとも一部が、第１の光学装置の第２の光学装置構造内に入射するように、位置され、かつ、方位付けされている、照明すること、を備え、
前記第１の光学装置は、少なくとも１つの第１の光学装置構造、前記第２の光学装置構造、および、第３の光学装置構造を持ち、
前記第１の光学装置構造は、第１構造第１表面、および第１構造第２表面を持ち、
前記第２の光学装置構造は、第２構造第１表面、および第２構造第２表面を持ち、
前記第３の光学装置構造は、第３構造第１表面、および第３構造第２表面を持ち、
前記第１構造第２表面は、前記第２構造第１表面と接触しており、
前記第２構造第２表面は、前記第３構造第１表面と接触しており、
前記第１の光学装置構造の第１の領域は、前記第１構造第２表面よりなり、
前記第２の光学装置構造の第１の領域は、前記第２構造第１表面よりなり、
前記第２の光学装置構造の第２の領域は、前記第２構造第２表面よりなり、
前記第３の光学装置構造の第１の領域は、前記第３構造第１表面よりなり、
前記第１の光学装置構造の前記第１の領域は、第１光学装置構造第１屈折率を持ち、
前記第２の光学装置構造の前記第１の領域は、第２光学装置構造第１屈折率を持ち、
前記第２の光学装置構造の前記第２の領域は、第２光学装置構造第２屈折率を持ち、
前記第３の光学装置構造の前記第１の領域は、第３光学装置構造第１屈折率を持ち、
前記第２光学装置構造第１屈折率は、前記第１光学装置構造第１屈折率より大きく、
前記第２光学装置構造第２屈折率は、前記第３光学装置構造第１屈折率より大きく、
前記第３の光学装置構造は、少なくとも１つの第１の光学特徴を備え、該第１の光学特徴は、前記第２の光学装置構造内に入射する前記第１の固体発光素子光の少なくともいくらかが、前記第３光学装置構造を前記第３構造第２表面から出射するように、位置されており、
前記第１の反射器は前記第１構造第１表面を覆っている、照明方法。
【発明の詳細な説明】
【技術分野】
【０００１】
関連する出願への相互参照
この出願は、２００６年１１月１３日に出願された米国仮特許出願第６０／８５８，５５８号、の利益を主張するものであり、その出願の全体は、参照によりここに組み入れられる。
【０００２】
発明の分野
本発明の主題は、固体発光素子を含む照明装置に関係する。いくらかの側面において、本発明の主題は、ＬＥＤおよび／またはルミファーを含む照明装置に関係する。
【背景技術】
【０００３】
発明の背景
毎年、米国において生成される電気の多くの部分（いくつかの見積りは、２５％と高い）は、照明に行っている。したがって、よりエネルギー効率の高い照明を与える、進行中の必要がある。白熱電球バルブは、大変エネルギー効率の良くない電球光源であることが、よく知られている − それらが消費する電気の約９０％は、光としてより熱として開放される。蛍光灯は、白熱電灯バルブよりはより効率が良い（約１０％だけ）が、まだ、発光ダイオード等の固体発光素子より効率は低い。
【０００４】
さらに、固体発光素子、たとえば、発光ダイオードの通常の寿命に比較すると、白熱電球は、相対的に短い寿命、たとえば、代表的に約７５０−１０００時間を持つ。比較するに、発光ダイオードは、たとえば、５０，０００時間と、７０，０００時間の間の代表的な寿命を、持つ。蛍光灯は、白熱灯より、より長い寿命（たとえば、１０，０００ − ２０，０００時間）を持つが、しかし、色再現の好ましさは、低い。
【０００５】
色再現は、代表的に、演色評価指数（ＣＲＩ  Ｒａ）を用いて測定される。ＣＲＩ  Ｒａは、照明システムの色再現が、８個の参照色を照明するときの参照放射器のそれとどのように比較されるかの測定結果の修整された平均である、すなわち、それは、特定のランプにより照明されたときの、対象物の表面色のシフトの相対的な示しである。該ＣＲＩ  Ｒａは、もし、照明システムにより照射されている１セットのテストカラーのカラー座標が、参照放射器により照射されている同じテストカラーの座標と同じであるとき、１００に等しい。昼日光は、高いＣＲＩ（約１００のＲａ）を持ち、白熱電球は、また、比較的近く（９５より大きいＲａ）、蛍光照明は、より正確さが低い（７０−８０の代表的Ｒａ）。あるタイプの特殊化された照明は、大変低いＣＲＩを持つ（たとえば、水銀蒸気またはナトリウムランプは、約４０、あるいは、さらにより低い、のように低いＲａを持つ）。ナトリウムランプは、たとえば、光高速道路に用いられるが、 − ドライバー応答時間は、しかしながら、より低いＣＲＩ  Ｒａの値とともに、実質的に低下する（任意の与えられた輝度に対して、視認性は、より低いＣＲＩ  Ｒａとともに減少する）。
【０００６】
従来の電灯設備 により直面されるもう１つの問題は、照明装置（たとえば、電灯バルブ等）を、周期的に置き換える必要である。このよう問題は、特に、アクセスが困難である（たとえば、丸天井、橋、高いビル、交通トンネル）ところで、および／または、交換コストが極端に高いところで表明されている。従来の電灯設備の代表的な寿命は、少なくとも約４４，０００時間の光発生装置の使用（２０年間にわたる１日６時間の使用に基づく）に対応する、約２０年である。光発生装置の寿命は、代表的にもっと小さく、これにより、周期的な交換の必要を生じる。
【０００７】
したがって、これらの、および、他の理由により、それにより、発光ダイオード、および、他の固体発光素子を、広い範囲の応用において、白熱電球、蛍光灯、および他の光発生装置の代わりに用いることのできる方法を開発する努力が、行われ続けてきた。さらに、発光ダイオード（または、他の固体発光素子）がすでに用いられているところでは、たとえば、エネルギー効率、演色評価指数（ＣＲＩ  Ｒａ）、コントラスト、有効性（ｌｍ／Ｗ）、コスト、および／またはサービス期間、に関して改善された発光ダイオード（または、他の固体発光素子）を与えるよう、努力が行われ続けてきている。
【０００８】
種々の固体発光素子は、よく知られている。
たとえば、固体発光素子の１つの例は、発光ダイオードである。
発光ダイオードは、電流を光に変換する公知の半導体デバイスである。広い範囲の発光ダイオードは、目的の今でも拡大する範囲のために、ますます広い範囲において使用されている。
【０００９】
より特定的には、発光ダイオードは、電位差がｐｎ接合構造に対して印加されたとき、光（紫外線、可視光、または赤外線）を発する半導電性の装置である。発光ダイオード、および多くの関連する構造を作る多くの公知の方法があり、本発明は、任意のこのような装置を用いることができる。たとえば、Ｓｚｅの半導体装置の物理学（１９８１年、第２版）の第１２−１４章、および、Ｓｚｅの現代半導体装置物理学（１９９８）の第７章は、発光ダイオードを含む広い範囲の光子装置を、記述している。
【００１０】
表現“発光ダイオード”は、基本的な半導体構造（すなわち、該チップ）を言及するのに用いられる。共通に認識され、商業的に入手可能な“ＬＥＤ”であって、（たとえば）電子ショップにおいて売られているものは、多くの部品から作られている“パッケージされた”デバイスを表す。これらのパッケージされたデバイスは、代表的に、米国特許第４，９１８，４８７；５，６３１，１９０；および５，９１２，４７７号において記述されたような（しかしそれらに限定されない）半導体ベースの発光ダイオード；種々のワイヤ接続、および、発光ダイオードを収容するパッケージを含む。
【００１１】
よく知られているように、発光ダイオードは、半導体活性（発光）層の導電帯と価電子帯との間のバンドギャップを横切って電子を励起することにより、光を生成する。電子遷移は、エネルギーギャップに依存する波長で光を発生する。このように、発光ダイオードにより発光された光の色（波長）は、発光ダイオードの活性層の半導体材料に依存する。
【００１２】
発光ダイオードの発展は、多くの態様で、照明産業を改革してきたが、発光ダイオードの特徴のいくつかは、多くの挑戦を提示してきており、そのいくつかはまだ十分に満たされていない。
【００１３】
固体発光素子、たとえば、発光ダイオードを用いて、より広い範囲の応用において白色光を、より大きいエネルギー効率、より改善された演色評価数（ＣＲＩ  Ｒａ）、より改善された有効性（ｌｍ／Ｗ）、低コスト、および／または、より長いサービス期間でもって与える方法についての進行中の必要がある。
【先行技術文献】
【特許文献】
【００１４】
【特許文献１】米国特許第４，９１８，４８７号明細書
【特許文献２】米国特許第５，６３１，１９０号明細書
【特許文献３】米国特許第５，９１２，４７７号明細書
【特許文献４】米国特許第６，６００，１７５号明細書
【特許文献５】米国特許第７，２１３，９４０号明細書
【特許文献６】米国特許出願第６０／７５２，７５３号
【特許文献７】米国特許出願第６０／７５２，５５５号
【特許文献８】米国特許出願第６０／７５２，５５６号
【特許文献９】米国特許出願第６０／７５３，１３８号
【特許文献１０】米国特許出願第６０／７９３，５１８号
【特許文献１１】米国特許出願第６０／７９３，５２４号
【特許文献１２】米国特許出願第６０／７９３，５３０号
【特許文献１３】米国特許出願第６０／７９４，３７９号
【特許文献１４】米国特許出願第６０／７９８，４４６号
【特許文献１５】米国特許出願第６０／８０２，６９７号
【特許文献１６】米国特許出願第６０／８０８，７０２号
【特許文献１７】米国特許出願第６０／８０８，９２５号
【特許文献１８】米国特許出願第６０／８０９，５９５号
【特許文献１９】米国特許出願第６０／８０９，９５９号
【特許文献２０】米国特許出願第６０／８３９，４５３号
【特許文献２１】米国特許出願第６０／８４４，３２５号
【特許文献２２】米国特許出願第６０／８５１，２３０号
【特許文献２３】米国特許出願第６０／８５７，３０５号
【特許文献２４】米国特許出願第６０／８６８，１３４号
【特許文献２５】米国特許出願第６０／８６８，９８６号
【特許文献２６】米国特許出願第６０／８９１，１４８号
【特許文献２７】米国特許出願第１１／６１３，６９２号
【特許文献２８】米国特許出願第１１／６１３，７１４号
【特許文献２９】米国特許出願第１１／６１３，７３３号
【特許文献３０】米国特許出願第１１／６１４，１８０号
【特許文献３１】米国特許出願第１１／６２４，８１１号
【特許文献３２】米国特許出願第１１／６２６，４８３号
【特許文献３３】米国特許出願第１１／７３６，７６１号
【特許文献３４】米国特許出願第１１／７３６，７９９号
【特許文献３５】米国特許出願第１１／７３７，３２１号
【特許文献３６】米国特許出願第１１／７４３，７５４号
【特許文献３７】米国特許出願第１１／７５１，９８２号
【特許文献３８】米国特許出願第１１／７５１，９９０号
【特許文献３９】米国特許出願第１１／７５３，１０３号
【特許文献４０】米国特許出願第１１／７５５，１６２号
【特許文献４１】米国特許出願第１１／８５４，７４４号
【発明の概要】
【００１５】
発明の簡単なサマリー
本発明の主題の第１の側面によれば、以下のものよりなる照明装置が、与えられる：
少なくとも１つの第１の固体発光素子； および、
少なくとも１つの第１の光学装置、
該第１の光学装置は、少なくとも第１の光学装置構造、第２の光学装置構造、および第３の光学装置構造を持ち、
前記第１の光学装置構造は、第１構造第１表面、および第１構造第２表面を持ち、
前記第２の光学装置構造は、第２構造第１表面、および第２構造第２表面を持ち、
前記第３の光学装置構造は、第３構造第１表面、および第３構造第２表面を持ち、
前記第１構造第２表面は、前記第２構造第１表面と接触しており、
前記第２構造第２表面は、前記第３構造第１表面と接触しており、
前記第１の光学装置構造の第１の領域は、第１構造第２表面よりなり、
前記第２の光学装置構造の第１の領域は、第２構造第１表面よりなり、
前記第２の光学装置構造の第２の領域は、第２構造第２表面よりなり、
前記第３の光学装置構造の第１の領域は、第３構造第１表面よりなり、
前記第１の光学装置構造の前記第１の領域は、第１光学装置構造第１屈折率を持ち、
前記第２の光学装置構造の前記第１の領域は、第２光学装置構造第１屈折率を持ち、
前記第２の光学装置構造の前記第２の領域は、第２光学装置構造第２屈折率を持ち、
前記第３の光学装置構造の前記第１の領域は、第３光学装置構造第１屈折率を持ち、
前記第２光学装置構造第１屈折率は、前記第１光学装置構造第１屈折率より大きく、
前記第２光学装置構造第２屈折率は、前記第３光学装置構造第１屈折率より大きく、
前記第１の固体発光素子は、もし該第１の固体発光素子が照明されて第１の固体発光素子光を発すれば、前記第１の固体発光素子光の少なくとも一部が、前記第２の光学装置構造内に入るように、位置され、かつ、方位付けされており、
前記第３の光学装置構造は、少なくとも第１の光学特徴を備え、前記第１の光学特徴は、もし前記第１の固体発光素子が照明されて第１の固体発光素子光を出射すれば、これにより、前記第１の固体発光素子光の少なくとも一部が、前記第２の光学装置構造内に入り、該第１の固体発光素子光の該部分の少なくともいくらかが、前記第３の光学装置構造を、前記第３構造第２表面から出射するように、位置されている。
【００１６】
本発明の主題の第２の側面によれば、以下のことからなる照明方法が、与えられる：
照明装置の少なくとも１つの第１の固体発光素子を照明して、第１の固体発光素子光を出射せしめること、前記第１の固体発光素子は、前記第１の固体発光素子光の少なくとも一部が、第１の光学装置の第２の光学装置構造内に入射するよう、位置され、かつ、方位付けされており、
前記第１の光学装置は、少なくとも、第１の光学装置構造、前記第２の光学装置構造、および、第３の光学装置構造、を備え、
前記第１の光学装置構造は、第１構造第１表面、および第１構造第２表面を持ち、
前記第２の光学装置構造は、第２構造第１表面、および第２構造第２表面を持ち、
前記第３の光学装置構造は、第３構造第１表面、および第３構造第２表面を持ち、
前記第１構造第２表面は、前記第２構造第１表面と接触しており、
前記第２構造第２表面は、前記第３構造第１表面と接触しており、
前記第１の光学装置構造の第１の領域は、第１構造第２表面よりなり、
前記第２の光学装置構造の第１の領域は、第２構造第１表面よりなり、
前記第２の光学装置構造の第２の領域は、第２構造第２表面よりなり、
前記第３の光学装置構造の第１の領域は、第３構造第１表面よりなり、
前記第１の光学装置構造の前記第１の領域は、第１光学装置構造第１屈折率を持ち、
前記第２の光学装置構造の前記第１の領域は、第２光学装置構造第１屈折率を持ち、
前記第２の光学装置構造の前記第２の領域は、第２光学装置構造第２屈折率を持ち、
前記第３の光学装置構造の前記第１の領域は、第３光学装置構造第１屈折率を持ち、
前記第２光学装置構造第１屈折率は、前記第１光学装置構造第１屈折率より大きく、
前記第２光学装置構造第２屈折率は、前記第３光学装置構造第１屈折率より大きく、
前記第３の光学装置構造は、少なくとも第１の光学特徴を備え、該第１光学特徴は、前記第２の光学装置構造内に入射する前記第１の固体発光素子光の少なくともいくらかが、該第３光学装置構造を、前記第３構造第２表面から出射するよう、位置されている。
【００１７】
本発明の主題によるいくらかの実施形態において、該照明装置は、さらに、少なくとも１つの第１のルミネッセント材料を備え、該第１のルミネッセント材料は、もし前記第１固体発光素子が照明されて第１の固体発光素子光を出射し、かつ、前記第１のルミネッセント材料の少なくとも一部が励起されて第１のルミネッセント材料出射光を出射すれば、前記第１固体発光素子光の少なくとも一部、および前記第１のルミネッセント材料出射光の少なくとも一部は、混合するように、位置されている。
【００１８】
本発明の主題によるいくらかの実施形態において、照明装置は、さらに、少なくとも１つの第１のルミネッセント材料を備え、該第１のルミネッセント材料は、もし前記第１固体発光素子が照明されて第１の固体発光素子光を出射すれば、前記第１固体発光素子光の少なくとも一部は、前記第１のルミネッセント材料の少なくとも一部に接触するように、位置されている。
【００１９】
本発明の主題によるいくらかの実施形態において、照明装置は、少なくとも１つの第１のルミネッセント材料を備え、前記第１の固体発光素子は、前記ルミネッセント材料の少なくとも一部が、また埋め込まれている包囲体要素内に埋め込まれている。
【００２０】
本発明の主題によるいくらかの実施形態において、照明装置は、さらに、少なくとも１つの第２の固体発光素子を備え、該第２の固体発光素子は、もし前記第２の固体発光素子が照明されて第２の固体発光素子光を出射すれば、該第２の固体発光素子光の少なくとも一部が前記第２の光学装置構造内に入り、かつ、該第２の固体発光素子光の該一部の少なくともいくらかが、該照明装置を、前記第３構造第２表面から出射するように、位置され、かつ、方位つけられている。
【００２１】
本発明の主題によるいくらかの実施形態において、前記第２光学装置構造第１屈折率と、前記第２光学装置構造第２屈折率とは、実質的に等しい。
【００２２】
本発明の主題によるいくらかの実施形態において、前記第１の光学装置構造は、実質的に均一な屈折率を持ち、前記第２の光学装置構造は、実質的に均一な屈折率を持ち、かつ、前記第３の光学装置構造は、実質的に均一な屈折率を持つ。
【００２３】
本発明の主題によるいくらかの実施形態において、前記第１の固体発光素子は、前記第２の光学装置構造内に、いくらかの場合には、該第２の光学装置構造のエッジ領域内に埋めこまれており、前記エッジ領域は、前記第２構造第１表面と、前記第２構造第２表面との間に、位置している。
【００２４】
本発明の主題によるいくらかの実施形態において、前記第２の光学装置構造は、少なくとも第１のキャビティを備え、かつ、前記第１の固体発光素子は、該第１のキャビティ内に位置している。いくらかのこのような実施形態において、前記第１のキャビティは、前記第２の光学装置構造のエッジ領域内に形成され、該エッジ領域は、前記第２構造第１表面と、前記第２構造第２表面との間に、位置している。
【００２５】
本発明の主題によるいくらかの実施形態において、照明装置は、さらに、少なくとも第１の反射器を備え、該第１の反射器は、もし任意の光が前記第１の光学装置構造を前記第１構造第１表面より出射すれば、前記第１光学装置構造を、前記第１構造第１表面より出射する光の少なくとも一部は、前記反射器により反射され、かつ、前記第１構造第１表面を通って、再び、前記第１光学装置構造内に、入るように、配置されている。いくらかのこのような実施形態において、前記反射器は、前記第１の光学装置に対して、前記第１構造第１表面の中心、前記第３構造第２表面の中心、および前記反射器の中心が、実質的に整列されるように、位置され、かつ、方位付けされている。
【００２６】
本発明の主題によるいくらかの実施形態において、該照明装置は、さらに、リム部を有し、該リム部は、該リム部が、前記第３構造第２表面から離れており、かつこれに垂直な線分であって、かつ、前記第３構造第２表面から伸びる、かつ、前記第３構造第１表面からは離れて伸びる線分、に沿った見晴らしの利く地点からのながめから、前記第１の固体発光素子を、ブロックするように、位置している。いくらかのこのような実施形態において、前記リム部は、前記第３構造第２表面の全周囲の周りに、伸びている。
【００２７】
本発明の主題によるいくらかの実施形態において、照明装置は、さらに、少なくとも１つの第１の電源線、少なくとも第２の固体発光素子、および、少なくとも第１のルミネッセント材料よりなる第１のルミネッセント材料領域を備え、
前記第２の固体発光素子は、もし前記第２の固体発光素子が照明されて第２の固体発光素子光を出射すれば、該第２の固体発光素子光の少なくとも一部が、前記第２の光学装置構造内に入り、かつ、前記第２の固体発光素子光の前記一部の少なくともいくらかが、前記照明装置を、前記第３構造第２表面から出射するように、位置され、かつ、方位付けされている、
ここで：
前記第１の固体発光素子は、もし照明されれば、４３０ｎｍから４８０ｎｍまでの範囲内にピーク波長を持つ光を発するであろう；
前記第１のルミネッセント材料は、もし励起されれば、約５５５ｎｍから約５８５ｎｍまでの範囲内に主要波長を持つ光を、発するであろう；
前記第２の固体発光素子は、もし照明されれば、６００ｎｍから６３０ｎｍまでの範囲内に主要波長を持つ光を発するであろう。いくらかのこのような実施形態において、もし電源が、該照明装置内の各電源線に供給されれば：
もし照明されれば、４３０ｎｍから４８０ｎｍまでの範囲内にピーク波長を持つ光を発する該照明装置内の各固体発光素子、もし励起されれば、約５５５ｎｍから約５８５ｎｍまでの範囲内に主要波長を持つ光を発する該照明装置内の各ルミネッセント材料領域、および、もし照明されれば、６００ｎｍから６３０ｎｍまでの範囲内に主要波長を持つ光を発する該照明装置内の各固体発光素子により出射される光の混合物は、任意の付加的な光のないところでは、１９３１年ＣＩＥ色度図上の、黒体位置上の少なくとも１つの点の１０ＭａｃＡｄａｍ 楕円内にある点を定義する、１９３１年ＣＩＥ色度図上のｘ、ｙカラー座標を持つ混合照明を生成するであろう、かつ、
もし照明されれば、４３０ｎｍから４８０ｎｍまでの範囲内にピーク波長を持つ光を発する該照明装置内の各固体発光素子、および、もし励起されれば、約５５５ｎｍから約５８５ｎｍまでの範囲内に主要波長を持つ光を発する該照明装置内の各ルミネッセント材料領域、により出射される光のサブ混合物は、任意の付加的な光のないところでは、１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、前記第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、前記第５の点は、０．３６、０．３８のｘ、ｙ座標を持つ、を持つサブ混合照明を生成するであろう。
【００２８】
いくらかのこのような実施形態において、該サブ混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．４８のｘ、ｙ座標を持ち、前記第３の点は、０．４１、０．４５５のｘ、ｙ座標を持ち、前記第４の点は、０．３６、０．３８のｘ、ｙ座標を持つ、を持つ。
【００２９】
本発明の主題の第３の側面によれば、前記本発明の主題の第１の側面に関連して上記で議論された要素よりなる照明装置であって、さらに、少なくとも１つの第２の固体発光素子、および、少なくとも１つの第２の光学装置を備え、
該第２の光学装置は、少なくとも第４の光学装置構造、第５の光学装置構造、および第６の光学装置構造を備え、
前記第４の光学装置構造は、第４構造第１表面、および第４構造第２表面を備え、
前記第５の光学装置構造は、第５構造第１表面、および第５構造第２表面を備え、
前記第６の光学装置構造は、第６構造第１表面、および第６構造第２表面を備え、
前記第４構造第２表面は、前記第５構造第１表面と接触しており、
前記第５構造第２表面は、前記第６構造第１表面と接触しており、
前記第４光学装置構造の第１の領域は、前記第４構造第２表面よりなり、
前記第５光学装置構造の第１の領域は、前記第５構造第１表面よりなり、
前記第５光学装置構造の第２の領域は、前記第５構造第２表面よりなり、
前記第６光学装置構造の第１の領域は、前記第６構造第１表面よりなり、
前記第４光学装置構造の前記第１の領域は、第４光学装置構造第１屈折率を持ち、
前記第５光学装置構造の前記第１の領域は、第５光学装置構造第１屈折率を持ち、
前記第５光学装置構造の前記第２の領域は、第５光学装置構造第２屈折率を持ち、
前記第６光学装置構造の前記第１の領域は、第６光学装置構造第１屈折率を持ち、
前記第５光学装置構造第１屈折率は、前記第４光学装置構造第１屈折率より大きく、
前記第５光学装置構造第２屈折率は、前記第６光学装置構造第１屈折率より大きく、
前記第２の固体発光素子は、もし前記第２の固体発光素子が照明されて、第２の固体発光素子光を出射すれば、該第２の固体発光素子光の少なくとも一部が、前記第５光学装置構造内に入るように、位置され、かつ、方位つけされており、
前記第６の光学装置構造は、少なくとも第２の光学特徴を備え、該第２の光学特徴は、もし前記第２の固体発光素子が照明されて、第２の固体発光素子光を出射すれば、これにより、前記第２の固体発光素子光の少なくとも一部が、前記第５の光学装置構造内に入り、該第２の固体発光素子光の該一部の少なくともいくらかが、該照明装置を、前記第６構造第２表面から出射するように、位置されている。
【００３０】
本発明の第３の側面によるいくらかの実施形態において、前記第２の光学装置は、前記第１の光学装置に対して、もし前記第１の固体発光素子が照明されれば、これにより、前記第１の固体発光素子光の前記部分の少なくともいくらかが、前記第３の光学装置構造を、前記第３構造第２表面から出射し、前記第３構造第２表面から出射する前記第１の固体発光素子光の少なくとも一部が、前記第６構造を、前記第６構造第２表面から出射するように、位置され、かつ、方位付けされている。
【００３１】
本発明の主題の第３の側面によるいくらかの実施形態において、前記第２の光学装置は、前記第１の光学装置に対して、前記第１構造第１表面の中心、前記第３構造第２表面の中心、および前記第６構造第２表面の中心が、実質的に整列されるように、位置され、かつ、方位付けされている。
【００３２】
本発明の主題の第３の側面によるいくらかの実施形態において、該照明装置は、さらに、少なくとも第１のルミネッセント材料含有領域、および第２のルミネッセント材料含有領域、を備え、
前記第１のルミネッセント材料含有領域は、もし前記第１の固体発光素子が照明されて第１の固体発光素子光を出射し、かつ、前記第１のルミネッセント材料の少なくとも一部が励起されて第１のルミネッセント材料出射光を出射すれば、前記第１の固体発光素子光の少なくとも一部、および前記第１のルミネッセント材料出射光の少なくとも一部は、混合するように、位置されており、
前記第２のルミネッセント材料含有領域は、もし前記第２の固体発光素子が照明されて第２の固体発光素子光を出射し、かつ、前記第２のルミネッセント材料の少なくとも一部が励起されて第２のルミネッセント材料出射光を出射すれば、前記第２の固体発光素子光の少なくとも一部、および前記第２のルミネッセント材料出射光の少なくとも一部は、混合するように、位置されている。
【００３３】
本発明の主題の第３の側面によるいくらかの実施形態において、該照明装置は、さらに、少なくとも第１のルミネッセント材料含有領域、および第２のルミネッセント材料含有領域を、含み、
前記第１のルミネッセント材料含有領域は、もし前記第１の固体発光素子が照明されて第１の固体発光素子光を出射すれば、前記第１の固体発光素子光の少なくとも一部が前記第１のルミネッセント材料包含領域内に入るように位置されており、
前記第２のルミネッセント材料含有領域は、もし前記第２の固体発光素子が照明されて第２の固体発光素子光を出射すれば、前記第２の固体発光素子光の少なくとも一部は、前記第２ルミネッセント材料包含領域内に入るように、位置されている。
【００３４】
本発明の主題の第３の側面によるいくらかの実施形態において、該照明装置は、さらに、リム部を有し、該リム部は、該リム部が、前記第６構造第２表面から離れており、かつこれに垂直な線分であって、かつ、前記第６構造第２表面から伸びる、かつ、前記第６構造第１表面からは離れて伸びる線分、に沿った見晴らしの利く地点からのながめから、前記第１の固体発光素子、および前記第２の固体発光素子を、ブロックするように、位置している。いくらかのこのような実施形態において、前記リム部は、前記第６構造第２表面の全周囲の周りに、伸びている。
【００３５】
本発明の主題の第３の側面によるいくらかの実施形態において、該照明装置は、さらに、少なくとも第１の反射器を備え、該第１の反射器は、もし任意の光が前記第１の光学装置構造を前記第１構造第１表面より出射すれば、前記第１光学装置構造を、前記第１構造第１表面より出射する光の少なくとも一部は、前記反射器により反射され、かつ、前記第１構造第１表面を通って、再び、前記第１光学装置構造に、入るであろう。
【００３６】
本発明の主題の第４の側面によれば、照明された包囲体（その体積は、均一に、または不均一に、照明されることができる）が、与えられ、これは、閉じられた空間、および本発明の主題による少なくとも１つの照明装置よりなり、ここで、前記照明装置は、前記包囲体の少なくとも一部を、（均一に、または、不均一に）照明する。
【００３７】
本発明の主題の第５の側面によれば、照明された表面が、与えられ、これは、表面、および上記した少なくとも１つの照明装置よりなり、ここで、もし該照明装置が照明されれば、該照明装置は、該表面の少なくとも一部を照明するであろう。
【００３８】
本発明の主題の第６の側面によれば、照明された領域が、与えられ、これは、たとえば、構造、水泳プールまたはスパ、部屋、倉庫、指示器、道、パーキングロット、車両、信号、たとえば、道路標識、ビルボード、船、おもちゃ、鏡、ベッセル、電子装置、ボート、航空機、スタジアム、コンピュータ、遠隔音響装置、遠隔ビデオ装置、携帯電話、木、窓、ＬＣＤディスプレイ、洞窟、トンネル、庭、ランプポスト、等よりなるグループの中から選択された１つのアイテムであって、その中、またはその上に、ここで述べた少なくとも１つの照明装置をマウントしたもの、よりなる照明された領域が与えられる。
【００３９】
本発明の主題は、添付図面、および、本発明の主題の以下の詳細な説明を参照して、より十分に理解されるであろう。
【図面の簡単な説明】
【００４０】
【図１】図１は、本発明の主題による照明装置の第１の実施形態の断面図である。
【図２】図２は、図１に描かれた照明装置の底面図である。
【図３】図３は、本発明の主題による照明装置の第２の実施形態の断面図である。
【図４】図４は、図３に描かれた照明装置の底面図である。
【図５】図５は、本発明の主題による照明装置の第３の実施形態の断面図である。
【図６】図６は、図５に描かれた照明装置の底面図である。
【図７】図７は、本発明の主題による照明装置の第４の実施形態の断面図である。
【図８】図８は、図７に描かれた照明装置の底面図である。
【発明を実施するための形態】
【００４１】
発明の詳細な説明
本発明の主題は、今、本発明の主題の実施形態が、示された添付図面を参照して、以下により十分に説明される。しかしながら、この発明の主題は、ここで打ち立てられた実施形態に限定して解釈されるべきではない。むしろ、これらの実施形態は、この開示が完全で完璧であり、本発明の主題の範囲を当業者に運ぶように与えられる。同様の要素に対しては、全体を通して同様の数字が与えられる。ここで使用されるように、用語“および／または”は、１つ、またはそれ以上の関連するリストされたアイテムの任意のもの、およびすべての結合を含む。
【００４２】
ここで使用される用語は、特定の実施形態のみを記述する目的のためのものであり、本発明の主題を限定することが意図されているものではない。ここで使用されるように、単一形“a”、“an”、および“the”は、文脈が明らかにそうでないことを示していなければ、複数形をも含むことが意図されている。さらに、用語“comprises”、および／または“comprising”は、この明細書において使用されるときは、述べられた特徴、整数、ステップ、動作、要素、および／または構成要素の存在を特定するが、しかし、その１つ、またはそれ以上の他の特徴、整数、ステップ、動作、要素、構成要素、および／または、それらのグループの存在、または付加を排除するものではない。
【００４３】
層、領域、または基板等の要素が、ここでもう１つの要素の上に（“on”）ある、あるいは、の上に（“onto”）伸びている、と言及されるとき、それは該他の要素上に直接ある（“directly on”）、あるいは該他の要素上に直接（“directly onto”）伸びることもでき、あるいは中間の要素がまた存在してもよい。対照的に、ある要素がもう１つの要素の直接上に（“directly on”）ある、あるいは直接上に（“directly onto”）伸びている、と言及されるとき、中間の要素は存在しない。
【００４４】
ここで使用される用語“第１の”、“第２の”等は、種々の要素、構成要素、領域、層、および／またはパラメータを記述するために用いられるが、これらの要素、構成要素、領域、層、セクション、および／またはパラメータは、これらの用語によって限定されるものではない。これらの用語は、単に、１つの要素、構成要素、領域、層、またはセクションを、もう１つの要素、構成要素、領域、層、またはセクションから区別するためにのみ用いられる。このように、以下で議論される第１の要素、構成要素、領域、層、またはセクションは、本発明の教えから離れることなく、第２の要素、構成要素、領域、層、またはセクションと言われることができる。
【００４５】
さらに、相対的用語“より低い”または“底の”、および“より上の”または“上面の”は、図面に示されたような１つの要素のもう１つの要素に対する関係を記述するために用いられる。このような相対的用語は、図面において描かれた方位に加えて該デバイスの異なる方位をカバーすることが意図されている。たとえば、もし該図面に示されるデバイスがひっくり返されれば、該他の要素の“より低い”側上にあると記述されている要素は、そのとき、該他の要素の“より上の”側上に方位を向けられているであろう。好ましい用語“より下の”は、それゆえ、該図面の特定の方向に依存した“より下の”、および“より上の”の方位の両方をカバーする。同様に、もし該図面の１つにおけるデバイスがひっくり返されれば、他の要素の“下に”あるいは“下側に”あると記述されている要素は、そのとき、該他の要素の“上に”方位を向けられているであろう。好ましい用語“下に”または“下側に”は、それゆえ、上におよび下に、の両方の方位をカバーするであろう。
【００４６】
固体発光素子に言及するときにここで使用される表現“照明”（または、“照明された”）は、少なくともいくらかの電流が固体発光素子に供給されて、該固体発光素子をして少なくともいくらかの光を発光せしめることを意味する。表現“照明された”は、該固体発光素子が、光を連続的に、あるいは、人間の目がそれを連続的に光を発していると感じるような速度で、光を間欠的に発している状況、あるいは、同じ色、または異なる色の複数の発光ダイオードが、人間の目がそれらを光を連続的に発していると（かつ、異なる色が出射される場合には、それらの色の混合物として）感じるような態様で光を間欠的に、および／または交互に（“on”時間におけるオーバーラップありで、または、なしで）発している状況をカバーする。
【００４７】
ルミファーに言及するときにここで使用される表現“励起された”は、少なくともいくらかの電磁放射（たとえば、可視光、紫外光、または赤外光）がルミファーと接触し、該ルミファーをして少なくともいくらかの光を発生せしめることを意味する。表現“励起された”は、ルミファーが、光を連続的に、あるいは、人間の目がそれを光を連続的に発していると感ずるような速度で間欠的に発している状況、あるいは、同じ色、または異なる色の複数のルミファーが人間の目がそれらを光を連続的に発していると（かつ、異なる色が出射される場合には、それらの色の混合物として）感じるような態様で光を間欠的に、および／または交互に（“on”時間におけるオーバーラップありで、または、なしで）発している状況をカバーする。
【００４８】
１９３１年ＣＩＥ色度図上の、黒体位置に対するその近傍（ＭａｃＡｄａｍ 楕円内）に関してここで記述された任意の混合された光に関係して、本発明の主題は、さらに、２７００Ｋ、３０００Ｋ、または、３５００Ｋの色温度を持つ黒体位置上の光の近傍にあるこのような混合された光に向けられている、すなわち：
１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．４５７８、０．４１０１のｘ、ｙ座標を持ち、前記第２の点は、０．４８１３、０．４３１９のｘ、ｙ座標を持ち、前記第３の点は、０．４５６２、０．４２６０のｘ、ｙ座標を持ち、前記第４の点は、０．４３７３、０．３８９３のｘ、ｙ座標を持ち、前記第５の点は、０．４５９３、０．３９４４のｘ、ｙ座標を持つ、を持つ混合光（すなわち、２７００Ｋに近い）；または、
１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．４３３８、０．４０３０のｘ、ｙ座標を持ち、前記第２の点は、０．４５６２、０．４２６０のｘ、ｙ座標を持ち、前記第３の点は、０．４２９９、０．４１６５のｘ、ｙ座標を持ち、前記第４の点は、０．４１４７、０．３８１４のｘ、ｙ座標を持ち、前記第５の点は、０．４３７３、０．３８９３のｘ、ｙ座標を持つ、を持つ混合光（すなわち、３０００Ｋに近い）；または、
１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．４０７３、０．３９３０のｘ、ｙ座標を持ち、前記第２の点は、０．４２９９、０．４１６５のｘ、ｙ座標を持ち、前記第３の点は、０．３９９６、０．４０１５のｘ、ｙ座標を持ち、前記第４の点は、０．３８８９、０．３６９０のｘ、ｙ座標を持ち、前記第５の点は、０．４１４７、０．３８１４のｘ、ｙ座標を持つ、を持つ混合光（すなわち、３５００Ｋに近い）。
【００４９】
ある装置における２つの構成要素が“電気的に接続されている”、との文章は、前記構成要素間に、その挿入が、該デバイスにより提供される１つの機能、または、複数の機能に実質的に影響を与える何らの構成要素も、電気的に存在しないことを、意味する。たとえば、２つの構成要素は、たとえもし、それらが、それらの間に、該デバイスによって与えられる１つの機能、または複数の機能に実質的に影響を与えない小さい抵抗をもっていたとしても、電気的に接続されている、と言うことができる（実際、２つの構成要素を結ぶワイヤは、小さい抵抗であると、考えることができる）；同様に、２つの構成要素は、たとえ、それらが、それらの間に、該デバイスが、付加的な機能を達成することのできるようにする付加的な電気的な構成要素をもってはいるが、該付加的な構成要素を含まないことを除いて同一である、該デバイスにより与えられる１つの機能、または、複数の機能に、実質的に影響を与えないものであれば、電気的に接続されている、と言うことができる；同様に、相互に直接接続されている、あるいは、回路基板上のワイヤ、またはトレースの対向するエンドに直接接続されている２つの構成要素は、電気的に接続されている。
【００５０】
ここで使用される、表現“照明装置”は、それが光を発することができる点を除いて、限定されない。すなわち、照明装置は、即ち、照明装置は、領域、または体積、たとえば、構造、水泳プールまたはスパ、部屋、倉庫、指示器、道、パーキングロット、車両、信号、たとえば、道路標識、ビルボード、船、おもちゃ、鏡、ベッセル、電子装置、ボート、航空機、スタジアム、コンピュータ、遠隔音響装置、遠隔ビデオ装置、携帯電話、木、窓、ＬＣＤディスプレイ、洞窟、トンネル、庭、ランプポスト、を照明するデバイス、あるいは、包囲体を照明するデバイス、またはデバイスアレイ、あるいは、エッジ、または背景照明に使用されるデバイス（たとえば、背景光のポスター、標識、ＬＣＤディスプレー）、バルブ置替体（たとえば、ＡＣ白熱電灯、低電圧灯、蛍光灯、等を置き換えるための）、室外照明に使用されるライト、安全照明に使用されるライト、室外居住照明に使用されるライト（壁マウント、ポスト／カラムマウント）、天井取付体／壁取付け用燭台、キャビネット下照明、ランプ（床、および／またはテーブル、および／またはデスク）、景観照明、トラック照明、タスク照明、特殊照明、天井ファン照明、アーカイブ／アート表示照明、高振動／衝撃照明 − 作業用照明、等、鏡／化粧テーブル照明、または、任意の他の発光デバイスであることができる。
【００５１】
ここで使用されるように、たとえば、表現“実質的に等しい”、“実質的に均一な”、“実質的に整列された”、“実質的に平行な”、“実質的に平面の”、“実質的に円形の”、“実質的に矩形の”等における、表現“実質的に”は、記載された特徴との少なくとも約９５％の一致を意味する、即ち、“実質的に等しい”は、各値が、５％より大きくないだけ、異なることを意味する；“実質的に均一な”は、該構造の９５％が、平均値から５％より大きくないだけ、異なる値を有することを意味する；“実質的に整列された”は、任意の一対の点を接続する線と、任意の他の一対の点を接続する線とが、９０度の５％、すなわち、４．５度より大きくない角を定義する、ことを意味する；“実質的に平行な”は、２つの平面が最大で９０度の５％、すなわち、４．５度だけ、互いに広がっていく、ことを意味する；“実質的に平坦な”は、実質的に平坦である、と特徴付けられる表面内の点の少なくとも９５％が、平行であり、かつ、該表面の最大寸法の５％より大きくない距離だけ互いに離れている、一対の平面のうちの１つ上に、またはそれらの間に、配置されていることを意味する；“実質的に円形の”は、円を、ｘ2 ＋ｙ2 ＝１ の式を持って描くことができる、ここで、虚数軸は、該構造上の各点のｙ座標が、このような点のｘ座標を、このような式内に挿入することによって得られる値の０．９５から１．０５倍内にある位置に描くことができる、ことを意味する；かつ、“実質的に矩形の”は、該形状が、該形状上の各点が、特定の値、またはその値の負の値の０．９５から１．０５倍内の、ｘ座標またはｙ座標を持つよう、かつ、該ｘ座標またはｙ座標のいずれもその絶対値が、このような特定の値の１．０５倍の絶対値を越えないように、ｘ、ｙ座標上に置かれることができることを意味する。
【００５２】
もし、他の方法でもって定義されなければ、ここで使用される（技術的、および科学的用語を含む）すべての用語は、発明が属する技術の分野における当業者によって共通に理解されるのと同じ意味を持つ。共通に使用される辞書において定義されたもの、のような用語は、関連する技術および本開示の文脈におけるそれらの意味と一環した意味を持つものと解釈されるべきであり、明確にここでそのように定義されたのでなければ、理想化された、または過度に形式的な意味では解釈されないであろう、ことがさらに理解される。
【００５３】
上記したように、本発明の主題の第１の側面によれば、少なくとも１つの固体発光素子、および少なくとも１つの光学装置、よりなる照明装置が、与えられる。
【００５４】
任意の所望の固体発光素子、または複数固体発光素子は、本発明の主題にしたがって、用いることができる。当業者は、広い範囲の種々のこのような発光素子をよく知っており、かつ、容易にアクセスすることができる。このような固体発光素子は、無機の、および有機の発光素子を含む。このような発光素子のタイプの例は、広い種々の範囲の発光ダイオード（ポリマー発光ダイオード（ＰＬＥＤ）を含む、無機の、または有機の）、レーザダイオード、薄膜エレクトロルミネッセントデバイス、発光ポリマー（ＬＥＰ）、そのおのおのの広い範囲のものは、技術においてよく知られている（かつ、それゆえ、このような装置、および／または、このような装置をそれから作る材料を、詳細に記述する必要もない）。本発明の主題によるいくらかの実施形態において、照明装置は、１つ、またはそれ以上の固体発光素子、および、少なくとも１つのルミネッセント材料を含み、該装置においては、該ルミネッセント要素により出射される光の少なくとも一部は、ルミネッセント要素が、前記少なくとも１つの固体発光素子のうちの１つ、又はそれ以上により出射される光により励起されるのに応答して出射される。
【００５５】
照明装置が、１つより多い固体発光素子を含むところでは、該固体発光素子のすべては、同様であることができ、あるいは、該各発光素子の１つ、またはそれ以上の各グループは、種々の態様の任意のもの（たとえば、固体発光素子のタイプ、該固体発光素子の化学的構成、発光された光の主要波長、および／またはピーク波長、サイズ、等）において相互に異なることができる。
【００５６】
このようなＬＥＤの代表的な例は、その多くは、技術において知られているが、リードフレーム、ルミファー、包囲体領域等を、含むことができる。
【００５７】
適切なＬＥＤの代表的な例は、以下に記述されている：
(1) 米国特許出願第６０／７５３，１３８号、２００５年１２月２２日出願、名称“照明装置”（発明者：ジェラルド  Ｈ．ネグレイ；代理人ドケット番号９３１＿００３ＰＲＯ）、および、米国特許出願第１１／６１４，１８０号、２００６年１２月２１日出願、それらの全体は、参照によりここに組み入れられる；
(2) 米国特許出願第６０／７９４，３７９号、２００６年４月２４日出願、名称“ルミファー膜を空間的に分離することにより、ＬＥＤにおけるスペクトル内容をシフトすること”（発明者：ジェラルド  Ｈ．ネグレイ、およびアントニー  ポール  ヴァンデヴェン；代理人ドケット番号９３１＿００６ＰＲＯ）、および、米国特許出願第１１／６２４，８１１号、２００７年１月１９日出願、それらの全体が参照によりここに組み入れられる；
（3） 米国特許出願第６０／８０８，７０２号、２００６年５月２６日出願、名称“照明装置”（発明者：ジェラルド  Ｈ．ネグレイ、およびアントニー  ポール  ヴァンデヴェン；代理人ドケット番号９３１＿００９ＰＲＯ）、および、米国特許出願第１１／７５１，９８２号、２００７年５月２２日出願、それらの全体が参照によりここに組み入れられる、
(4) 米国特許出願第６０／８０８，９２５号、２００６年５月２６日出願、名称“固体発光装置、およびこれを製造する方法”（発明者：ジェラルド  Ｈ．ネグレイ、およびニール  ハンター；代理人ドケット番号９３１＿０１０ＰＲＯ）、および、米国特許出願第１１／７５３，１０３号、２００７年５月２４日出願、；
(5) 米国特許出願第６０／８０２，６９７号、２００６年５月２３日出願、名称“照明装置、および製造方法”（発明者：ジェラルド  Ｈ．ネグレイ；代理人ドケット番号９３１＿０１１ＰＲＯ）、および、米国特許出願第１１／７５１，９９０号、２００７年５月２２日出願、それらの全体が参照によりここに組み入れられる；
(6) 米国特許出願第６０／８３９，４５３号、２００６年８月２３日出願、名称“照明装置、および照明方法”（発明者：アントニー  ポール  ヴァンデヴェン、およびジェラルド  Ｈ．ネグレイ；代理人ドケット番号９３１＿０３４ＰＲＯ）、および、米国特許出願第１１／８４３，２４３号、２００７年８月２２日出願、それらの全体が参照によりここに組み入れられる；
(7) 米国特許出願第６０／８５７，３０５号、２００６年１１月７日出願、名称“照明装置、および照明方法”（発明者：アントニー  ポール  ヴァンデヴェン、およびジェラルド  Ｈ．ネグレイ；代理人ドケット番号９３１＿０２７ＰＲＯ）、その全体が参照によりここに組み入れられる;および、
(8) 米国特許出願第６０／８５１，２３０号、２００６年１０月１２日出願、名称“照明装置、およびこれを製造する方法”（発明者：ジェラルド  Ｈ．ネグレイ；代理人ドケット番号９３１＿０４１ＰＲＯ）、その全体が参照によりここに組み入れられる。
【００５８】
本発明の主題による照明装置は、任意の所望の数の固体発光素子よりなる。たとえば、本発明の主題による照明装置は、５０、またはそれ以上の発光ダイオードを含むことができ、あるいは、１００、またはそれ以上の発光ダイオード等を含むことができる。
【００５９】
該固体発光素子は、たとえば、(1) 可視スペクトル内の異なる波長範囲内の光を発する、２つ、またはそれ以上の発光ダイオード、(2) 赤外スペクトル内の異なる波長範囲内の光を発する、２つ、又はそれ以上の発光ダイオード、(3) 紫外スペクトル内の異なる波長範囲内の光を発する、２つ、またはそれ以上の発光ダイオード、(4) 可視スペクトル内の光を発する、１つ、またはそれ以上の発光ダイオード、および、赤外スペクトル内の光を発する、１つ、又はそれ以上の発光ダイオード、(5) 可視スペクトル内の光を発する、１つ、またはそれ以上の発光ダイオード、および紫外スペクトル内の光を発する、１つ、又はそれ以上の発光ダイオード、等を含む、赤外光、可視光、および紫外光の範囲内の任意の所望の波長、または複数波長（又は、波長範囲、または複数波長範囲）内の光を出射することができる。
【００６０】
本発明の主題のいくつかの実施形態において、該１つ、またはそれ以上の固体発光素子は、このような固体発光素子（複数固体発光素子）により出射される光の、少なくとも１０％（いくつかの実施形態においては、少なくとも２０％、いくつかの実施形態においては、少なくとも４０％、いくつかの実施形態においては、少なくとも６０％またはそれ以上）が、第２の光学装置構造内に入るように位置されている。
【００６１】
任意の所望の光学装置、または複数光学装置は、本発明の主題にしたがって、用いることができる。当業者は、このような光学装置の広い範囲の種々のものをよく知っており、かつ容易に入手可能である。
【００６２】
このような光学装置の代表的な例は、所望の態様で光が集められ、方向を向けられ、および／または、投射されるのを可能にするように成型された透明な、または半透明の材料を含む。当業者は、光を集め、方向を向け、かつ投射するよう成形する種々の技術をよく知っている。
【００６３】
上記したように、前記１つの、またはそれ以上の光学装置のおのおのの第３の光学装置構造は、少なくとも１つの第１の光学特徴よりなり、該第１の光学特徴は、もし、前記第１の固体発光素子が照明されれば、前記第１の固体発光素子光の該一部の少なくともいくらかは、該第３装置構造を、該第３構造第２表面から出射するように位置されている。当業者は、光が、該光学装置を、１つ、またはそれ以上の所望の位置で逃げることを許す、そのような光学特徴を持つ光学装置をよく知っており、容易に入手でき、かつ容易に製造することができる。
【００６４】
本発明の主題のいくらかの実施形態において、照明装置内の光学装置、または照明装置内の複数光学装置のうちの１つ、またはそれ以上は、実質的にディスク形状をしている。ここで使用される、表現“ディスク形状”は、一般に２つの主要表面と、前記２つの主要表面間に位置する１つ、またはそれ以上のエッジ表面を持つ形状を意味する。いくらかの場合には、該主要表面は実質的に平坦であり、かつ／または、実質的に相互に平行であり、かつ／または、全体の“ディスク形状の”構造は、実質的に対称な平面を持つ。このようなディスク形状構造は、たとえば、実質的に円形である（即ち、該構造は、実質的に円形ディスク形状である）、実質的に矩形である（即ち、該構造は、実質的に矩形ディスク形状である）、等である任意の所望の形状である１つ、または２つの主要表面を持つことができる。
【００６５】
本発明の主題のいくらかの実施形態において、照明装置は、該照明装置内の光学装置、または該照明装置内の光学装置の１つ、またはそれ以上が、構成材料より離れて伸び（たとえば、部屋、オフィス、倉庫、等、内で天井から離れて伸び）、これにより、向上された熱放散能力を与えるようにマウントされることができる。
【００６６】
上記したように、本発明の主題によるいくらかの実施形態においては該照明装置は、さらに、少なくとも１つのルミネッセント要素を備える。広い範囲の種々の、ルミネッセント材料（また、たとえば、米国特許第６，６００，１７５号明細書、その全体は参照によりここに組み入れられる、に開示されているように、ルミファー、またはルミノフォリック媒体としても知られる）は、当業者によく知られており、かつ、入手可能である。たとえば、リン発光体は、放射の励起源により励起されたとき、応答性の放射（たとえば、可視光）を出射するルミネッセント材料である。多くの場合において、該応答性の放射は、励起する放射の波長と異なる波長を有する。ルミネッセント材料の他の例は、シンチレーター、昼日グローテープ、および紫外線を照射されると可視スペクトル内において輝くインクを含む。
【００６７】
ルミネッセント材料は、ダウンコンバートするもの、すなわち、フォトンをより低いエネルギーレベル（より長い波長）に変換する材料である、あるいは、アップコンバートするもの、すなわち、フォトンをより高いエネルギーレベル（より短い波長）に変換する材料である、ものとして分類されることができる。
【００６８】
ルミネッセント材料をＬＥＤ装置内に含むことは、上記したように、ルミネッセント材料を清浄な、または透明な収容材料（たとえば、エポキシ系、シリコーン系、ガラス系、または金属酸化物系材料）に、たとえば、ブレンディングまたはコーティングプロセスにより付加することにより遂行されてきた。
【００６９】
たとえば、従来の発光ダイオードランプの１つの代表的な例は、発光ダイオードチップ、発光ダイオードチップを覆うための弾丸形状透明ハウジング、電流を発光ダイオードチップに供給する導線、および、発光ダイオードチップの放射を一定の方向に反射するためのカップ反射器、そこにおいては、発光ダイオードチップは、第１の樹脂部分により収容されており、これは、さらに第２の樹脂部分により収容されている、を含む。この第１の樹脂部分は、カップ反射器を樹脂材料で満たし、それを、発光ダイオードチップがカップ反射器の底上にマウントされ、そののち、そのカソード、およびアノード電極がワイヤによりリードに電気的に接続された後に、キュアーすることにより得られる。ルミネッセント材料は、該第１の樹脂部分内に、前記発光ダイオードチップから出射された光Ａにより励起されるよう分散されることができ、該励起されたルミネッセント材料は、光Ａより長い波長を持つ蛍光発光（“光Ｂ”）を生成し、該光Ａの一部は、該ルミネッセント材料を含む第１の樹脂部分を通って送信され、結果として、光Ａと光Ｂの混合物である光Ｃが照明として用いられる。
【００７０】
たとえば、本発明の主題を実行するにおいて用いることのできるルミファーは、上記参照により組み入れられた、かつ本発明の主題の使用に適したＬＥＤを開示するものと気づかれる、上記特許出願において開示されている。
【００７１】
上記したように、本発明の主題によるいくつかの実施形態においては、照明装置は、さらに、少なくとも１つの第１の反射器を備える。任意の適切な反射性の材料は、該反射器を作るために用いることができ、該反射器は、任意の所望の大きさ、および形状であることができる。
【００７２】
それから、反射器を作ることのできる適切な材料の代表的な例は、古河電工（日本の会社）により、登録商標ＭＣＰＥＴの下で市販されている材料である。
【００７３】
上記したように、本発明の主題によるいくらかの実施形態において、照明装置は、さらに、リム部を有する。任意の適切な材料を、該リム部をつくるのに用いることができ、かつ、該リム部は、（該リム部が、前記第３の構造第２表面から離れでおり、かつこれに垂直な線分であって、かつ、前記第３構造第２表面から伸びる、かつ、前記第３構造第１表面からは離れて伸びる、線分に沿った見晴らしの利く地点からのながめから、前記第１の固体発光素子を、ブロックするよう位置され得るかぎり）任意の所望の大きさ、および形状であることができる。
【００７４】
本発明の主題の照明装置は、任意の所望の形態で、配列され、マウントされ、電気を供給されることができ、かつ、任意の所望のハウジング、または取付体上にマウントされることができる。当業者は、広い範囲の種々の配列、マウントスキーム、および電源供給装置をよく知っており、かつ、任意のこのような配列、スキーム、および装置、ハウジング、および取付体は、本発明の主題と関連して用いることができる。本発明の主題による照明装置は、任意の所望の電源に電気的に接続される（または、選択的に接続される）ことができ、当業者は、種々のこのような電源をよく知っている。
【００７５】
上記したように、本発明の主題によるいくらかの実施形態において、前記照明装置は、さらに、少なくとも１つの電源線を備える。任意の所望の電源線構造（複数構造）は、本発明の主題にしたがって用いられることができ、かつ、当業者は、広い範囲の種々のこのような構造をよく知っており、容易にアクセスする。
【００７６】
本発明の主題を実行するのに用いることのできる回路網は、以下に、記述されている：
(1) 米国特許出願第６０／７５２，７５３号、２００５年１２月２１日出願、名称“照明装置”（発明者：ジェラルド  Ｈ．ネグレイ、アントニー  ポール  ヴァンデヴェン、およびニール  ハンター；代理人ドケット番号９３１＿００２ＰＲＯ）、および米国特許出願第１１／６１３，６９２号、２００６年１２月２０日出願、それらの全体が参照によりここに組み入れられる；
(2) 米国特許出願第６０／７９８，４４６号、２００６年５月５日出願、名称“照明装置”（発明者：アントニー  ポール  ヴァンデヴェン；代理人ドケット番号９３１＿００８ＰＲＯ）、および米国特許出願第１１／７４３，７５４号、２００７年５月３日出願、それらの全体が参照によりここに組み入れられる；
(3) 米国特許出願第６０／８０９，９５９号、２００６年６月１日出願、名称“冷却を備えた照明装置”（発明者：トーマス  Ｇ．コールマン、ジェラルド  Ｈ．ネグレイ、およびアントニー  ポール  ヴァンデヴェン；代理人ドケット番号９３１＿００７ＰＲＯ）、および米国特許出願第１１／６２６，４８３号、２００７年１月２４日出願、それらの全体が参照によりここに組み入れられる；
(4) 米国特許出願第６０／８０９，５９５号、２００６年５月３１日出願、名称“照明装置、および照明方法”（発明者：ジェラルド  Ｈ．ネグレイ；代理人ドケット番号９３１＿０１８ＰＲＯ）、および米国特許出願第１１／７５５，１６２号、２００７年５月３０日出願、それらの全体が参照によりここに組み入れられる；
(5) 米国特許出願第６０／８４４，３２５号、２００６年９月１３日出願、名称“低側ＭＯＳＦＥＴ電流制御を持つブースト／フライバック電源トポロジー”（発明者：ピーター  Ｊ．メイヤーズ；代理人ドケット番号９３１＿０２０ＰＲＯ）、および米国特許出願第１１／８５４，７４４号、２００７年９月１３日出願、それらの全体が参照によりここに組み入れられる。
【００７７】
本発明の主題の第２の側面によれば、本発明の主題の第１の側面による照明装置の少なくとも１つの第１の固体発光素子を照明することよりなる照明方法が与えられる。
【００７８】
本発明の主題の第３の側面によれば、本発明の主題の第１の側面に関連して上記で議論した要素を備え、かつ、さらに、少なくとも１つの第２の固体発光素子、および少なくとも１つの第２の光学装置を備えた照明装置が与えられる。
【００７９】
本発明の主題の第３の側面のいくらかの実施形態において、おのおの少なくとも１つの固体発光素子を持つ２つ、またはそれ以上の光学装置を、スタックすることができる。このような配列において、第１の光学装置の前記第３構造第２表面から出射する光は、該第１の光学装置の前記第２の構造に対して、該第１の光学装置の前記第３構造に対向して配置された任意の他の光学装置または複数装置を、通過する。たとえば、３つのスタックされた光学装置を含む装置において、該装置は、前記第１の光学装置が天井に最も近くにあり、前記第２の光学装置が前記第１の光学装置の下にあり、かつ、前記第３の光学装置が前記第２の光学装置の下にあって、前記天井にマウントされており、(1) 前記第１の光学装置からの光は、前記第１の光学装置の前記第３構造第２表面から出て、前記第２の光学装置および前記第３の光学装置を下方に向けて通過し；(2) 前記第２の光学装置からの光は、前記第２の光学装置の前記第３構造第２表面から出て、前記第３の光学装置を下方に向けて通過し； かつ、(3) 前記第３の光学装置からの光は、前記第３の光学装置の前記第３構造第２表面から出射する。
【００８０】
一般に、任意の数の色の光は、本発明の主題による照明装置により混合されることができる。光カラーのブレンドの代表的な例は、以下に記述されている：
(1) 米国特許出願第６０／７５２，５５５号、２００５年１２月２１日出願、名称“照明装置、および照明方法”（発明者：アントニー  ポール  ヴァンデヴェン、およびジェラルド  Ｈ．ネグレイ；代理人ドケット番号９３１＿００４ＰＲＯ）、および、米国特許出願第１１／６１３，７１４号、２００６年１２月２０日出願、それらの全体が参照によりここに組み入れられる；
(2) 米国特許出願第６０／７５２，５５６号、２００５年１２月２１日出願、名称“看板、および照明方法”（発明者：ジェラルド  Ｈ．ネグレイ、およびアントニー  ポール  ヴァンデヴェン；代理人ドケット番号９３１＿００５ＰＲＯ）、および米国特許出願第１１／６１３，７３３号、２００６年１２月２０日出願、それらの全体は参照によりここに組み入れられる；
(3) 米国特許出願第６０／７９３，５２４号、２００６年４月２０日出願、名称“照明装置、および照明方法”（発明者：ジェラルド  Ｈ．ネグレイ、およびアントニー  ポール  ヴァンデヴェン；代理人ドケット番号９３１＿０１２ＰＲＯ）、および米国特許出願第１１／７３６，７６１号、２００７年４月１８日出願、それらの全体は参照によりここに組み入れられる；
(4) 米国特許出願第６０／７９３，５１８号、２００６年４月２０日出願、名称“照明装置、および照明方法”（発明者：ジェラルド  Ｈ．ネグレイ、およびアントニー  ポール  ヴァンデヴェン；代理人ドケット番号９３１＿０１３ＰＲＯ）、および米国特許出願第１１／７３６，７９９号、２００７年４月１８日出願、それらの全体は参照によりここに組み入れられる；
(5) 米国特許出願第６０／７９３，５３０号、２００６年４月２０日出願、名称“照明装置、および照明方法”（発明者：ジェラルド  Ｈ．ネグレイ、およびアントニー  ポール  ヴァンデヴェン；代理人ドケット番号９３１＿０１４ＰＲＯ）、および米国特許出願第１１／７３７，３２１号、２００７年４月１９日出願、それらの全体は参照によりここに組み入れられる、；
(6) 米国特許第７，２１３，９４０号明細書、２００７年５月８日発行、名称“照明装置、および照明方法”（発明者：アントニー  ポール  ヴァンデヴェン、およびジェラルド  Ｈ．ネグレイ；代理人ドケット番号９３１＿０３５ＮＰ）、その全体は参照によりここに組み入れられる;
(7) 米国特許出願第６０／８６８，１３４号、２００６年１２月１日出願、名称“照明装置、および照明方法”（発明者：アントニー  ポール  ヴァンデヴェン、およびジェラルド  Ｈ．ネグレイ；代理人ドケット番号９３１＿０３５ＰＲＯ）、その全体は参照によりここに組み入れられる;
(8) 米国特許出願第６０／８６８，９８６号、２００６年１２月７日出願、名称“照明装置、および照明方法”（発明者：アントニー  ポール  ヴァンデヴェン、およびジェラルド  Ｈ．ネグレイ；代理人ドケット番号９３１＿０５３ＰＲＯ）、その全体は参照によりここに組み入れられる；
(9) 米国特許出願第６０／８５７，３０５号、２００６年１１月７日出願、名称“照明装置、および照明方法”（発明者：アントニー  ポール  ヴァンデヴェン、ジェラルド  Ｈ．ネグレイ；代理人ドケット番号９３１＿０２７ＰＲＯ）、その全体は参照によりここに組み入れられる;および、
(10) 米国特許出願第６０／８９１，１４８号、２００７年２月２２日出願、名称“照明装置および照明方法、光フィルタ及び光をフィルタする方法”（発明者：アントニー  ポール  ヴァンデヴェン；代理人ドケット番号９３１＿０５７ＰＲＯ）、その全体は参照によりここに組み入れられる。
【００８１】
１つ、またはそれ以上の輝度強調膜は、任意にさらに、本発明による照明装置内に含まれることができる。このような膜は、技術においてよく知られており、かつ容易に入手可能である。輝度強調膜（たとえば、３Ｍから商業的に入手可能なＢＥＦ膜）は任意であり、使用されるときには、それらは、受け入れ角度を制限することにより、より方向性のある光源を与える。“受け入れられ”なかった光は、高度に反射性の光源包囲体によりリサイクルされる。好ましくは、該輝度向上膜（ＷＦＴによる等、任意に、１つ、またはそれ以上の抽出膜により置き換えられることのできる）は、もし用いられれば、出射されたソースの視野角を制限し、かつ、第１の（あるいは、最も早い可能な）パス上の光を抽出する可能性を増大するよう、最適化されている。
【００８２】
さらに、１つ、またはそれ以上の散乱要素（たとえば、層）は、本発明のこの側面による照明装置に、任意に含まれることができる。該散乱要素は、ルミファー内に含まれることができ、かつ／または、分離した散乱要素を与えることもできる。広い種々な範囲の分離した散乱要素、および、結合したルミネッセントなかつ散乱性の要素は、当業者によく知られており、かつ、任意のこのような層は、本発明の照明装置において用いることができる。
【００８３】
本発明の主題による装置は、さらに、出射された光の投射された性質をさらに変更する２次的な光学素子を備えることができる。このような２次的な光学素子は、当業者によく知られており、かつ、ここで詳細に説明する必要はない − 任意のこのような２次的な光学素子が、もし望まれれば使用することができる。
【００８４】
本発明の主題によるデバイスは、さらに、センサー、または充電装置、またはカメラ等を、備えることができる。たとえば、当業者は、１つ、またはそれ以上のできごとを検出し（たとえば、対象物、または人の動きを検出する動き検出器）、かつ、このような検出に応答して、光の照明、安全カメラの活性化等をトリガーする装置をよく知っており、これを容易に入手することができる。代表的な例として、本発明の主題によるデバイスは、本発明による照明装置、および動きセンサーを含むことができ、かつ、(1) 光が照明される間、もし動きセンサーが動きを検出すれば、安全カメラが活性化されて検出された動きの位置での、またはその周りでのビジュアルデータを記録する、または、(2) もし動きセンサーが動きを検出すれば、光が検出された動きに近い領域を照らすよう照明され、安全カメラが活性化されて検出された動きの位置での、またはその周りでのビジュアルデータを記録する、ように構成することができる。
【００８５】
本発明の主題による実施形態は、以下に、本発明の理想化された実施形態の模式的な図解である断面図（および／または、平面図）を参照して記述される。このように、たとえば、製造技術、および／または耐性の結果としての図解の形状からの変形は、予想されるものである。このように、本発明の実施形態は、ここで図解された領域の特定の形状に限定して解釈されるべきものではなく、たとえば、製造から生じる形状の変形をも含むべきものである。たとえば、矩形であるとして図示された、または記述されたモールドされた領域は、代表的に丸くされた、またはカーブされた特徴を持つであろう。このように、図面に図示された領域は、性質上、模式的のものであり、それらの形状は、装置の領域の正確な形状を図示することが意図されているのではなく、また、本発明の範囲を限定することが意図されているものでもない。
【００８６】
図１および図２は、本発明の主題による照明装置の第１の実施形態を示す。図１を参照して、複数のＬＥＤ１１、および第１の光学装置１２、よりなる照明装置１０が示される。前記第１の光学装置１２は、実質的に円形のディスク形状をしており、かつ、第１の光学装置構造１３、第２の光学装置構造１４、および第３の光学装置構造１５を備える。
【００８７】
前記第１の光学装置構造１３は、第１構造第１表面１６、および第１構造第２表面１７を持つ。前記第２の光学装置構造１４は、第２構造第１表面１８、および第２構造第２表面１９を持つ。前記第３の光学装置構造１５は、第３構造第１表面２０、および第３構造第２表面２１を持つ。
【００８８】
前記第２の光学装置構造１４は、前記第２構造第１表面１８と前記第２構造第２表面１９との間に配置されたエッジ領域２４を持ち、複数のキャビティ２３は、該エッジ領域２４内に形成されており、ＬＥＤ１１は、前記キャビティ２３のおのおの内に配置されている。
【００８９】
図１に示されるように、前記第１構造第２表面１７は、前記第２構造第１表面１８に接触しており、かつ、前記第２構造第２表面１９は、前記第３構造第１表面２０に接触している。
【００９０】
前記第２光学装置構造１４は、前記第１の光学装置構造１３の屈折率、および前記第３の光学装置構造１５の屈折率より大きい屈折率を有する。
【００９１】
図１に示されるように、前記複数ＬＥＤ１１は、もしそれらが照明されれば、それらが発する光の少なくとも一部が、前記第２光学装置構造１４内に入るように、位置され、かつ、方位付けされている。
【００９２】
前記第３の光学装置構造１５は、複数の光学特徴２２を持ち、該光学特徴２２は、もし複数ＬＥＤ１１が照明されれば、これにより、固体発光素子１１により出射された光の少なくとも一部が前記第２の光学装置構造１４内に入り、前記複数ＬＥＤ１１により出射された光の少なくともいくらかが、前記第３の光学装置構造１５を、前記第３構造第２表面２１から出射するように、位置している。
【００９３】
前記複数ＬＥＤ１１のいくらかは、包囲体要素内に埋めこまれた発光ダイオードチップ、および該包囲体要素内に埋めこまれたルミネッセント材料、よりなる。前記ルミネッセント材料は、もし前記パッケージ内の前記発光ダイオードが照明されれば、該ルミネッセント材料の少なくとも一部が励起されてルミネッセント材料出射光を出射し、かつ、前記発光ダイオードより出射された光の少なくとも一部が、前記ルミネッセント材料出射光の少なくとも一部と混合するように、位置している。
【００９４】
照明装置１０は、さらに、反射器２５を備える。図１に示されるように、該反射器は、もし任意の光が、前記第１の光学装置構造１３を、前記第１構造第１表面１６から出射すれば、このような光の少なくとも一部は、前記反射器２５により反射され、かつ、前記第１構造第１表面１６を通って、再び、前記第１の光学装置構造１３内に入るように、位置されている。
【００９５】
図１に示されるように、前記反射器２５は、前記第１の光学装置１２に対して、前記第１構造第１表面１６の中心、前記第３構造第２表面２１の中心、および前記反射器２５の中心が、実質的に整列されるように、位置され、かつ、方位付けされている。
【００９６】
前記照明装置１０は、さらに、リム部２６を有する。図１に示されるように、該リム部２６は、それが、前記第３構造第２表面２１から離れており、かつこれに垂直な線分であって、かつ、前記第３構造第２表面２１から伸びる、かつ、前記第３構造第１表面２０からは離れて伸びる、線分に沿った見晴らしの利く地点からのながめから、前記ＬＥＤ１１をブロックするように、位置されている。図２に示されているように、該リム部２６は、該第３構造第２表面２１の全周の周りに伸びている。
【００９７】
図３および図４は、本発明の主題による照明装置の第２の実施形態を描く。図３および図４に描かれた照明装置３０は、図１および図２に描かれた照明装置と、図３および図４に描かれた照明装置においては、前記複数ＬＥＤ３１は（前記複数ＬＥＤ１１が図１に描かれたキャビティ２３内に位置している場合のように、前記キャビティ内に位置しているよりむしろ）前記第２の光学装置構造３４内に埋めこまれていることを除いて、同じである。
【００９８】
図５および図６は、本発明の主題による照明装置の第３の実施形態を描く。図５および図６に描かれた照明装置５０は、図１および図２に描かれた照明装置と、図５および図６に描かれた照明装置においては、前記第１の光学装置５２は（図１および図２に描かれた装置における第１の光学装置１２のように円形のディスク形状であるよりむしろ）実質的に矩形のディスク形状であることを除いて、同じである。
【００９９】
図７および図８は、本発明の主題による照明装置の第４の実施形態を描く。図７および図８を参照して、第１の光学装置７１、第２の光学装置７２、および第３の光学装置７３よりなる照明装置７０が、示される。該３つの光学装置（すなわち、第１の光学装置７１、第２の光学装置７２、および第３の光学装置７３）のおのおのは、前記第１の実施形態の前記第１の光学装置１２に、(1) 前記第１の光学装置７１のみが反射器７４を持ち（すなわち、第２の光学装置７２、および第３の光学装置７３は各々反射器を持たない）、かつ、(2) 前記第３の光学装置７３のみがリム部７６を持つ（すなわち、第１の光学装置７１、および第２の光学装置７２は各々リム部を持たない）ことを除いて、類似している。
【０１００】
図７を参照して、第２の光学装置７２は、前記第１の光学装置７１に対して、かつ、前記第３の光学装置７３は、前記第２の光学装置７２に対して、もし前記第１の光学装置７１内の前記複数ＬＥＤ７５が照明されれば、前記複数ＬＥＤ７５により出射される光の少なくともいくらかは、前記第３光学装置７３の前記第３構造第２表面から出射するように、それぞれ位置され、かつ、方位付けされている。
【０１０１】
図７を参照して、前記第２の光学装置７２は、前記第１の光学装置７１に対して、かつ、前記第３の光学装置７３は、前記第２の光学装置７２に対して、前記第１の光学装置７１の前記第１構造第１表面の中心、前記第１の光学装置７１の前記第３構造第２表面の中心、前記第２の光学装置７２の前記第１構造第１表面の中心、前記第２の光学装置７２の前記第３構造第２表面の中心、および前記第３の光学装置７３の前記第３構造第２表面の中心が、実質的に整列されるように、それぞれ、位置され、かつ、方位付けされている。
【０１０２】
ここで記述された照明装置の任意の２つ、またはそれ以上の、任意の構造的部分は、集積されることができる。ここで記述される照明装置の任意の構造的部分は、任意の２つ、またはそれ以上の部品（必要であれば、一緒に持つことのできる）にて設けられることができる。同様に、任意の２つ、またはそれ以上の機能は、同時に行うことができ、かつ／または、任意の機能は、一連のステップにて行うことができる。
【０１０３】
さらに、本発明の主題のある実施形態は、特定の要素の結合を参照して図解されたが、種々の他の結合もまた、本発明の主題の教えから離れることなく、与えられることができる。このように、本発明の主題は、ここで記述され、図面に図解された特定の好ましい実施形態に限定されるものと解釈されるべきではなく、逆に、種々の図解された実施形態の要素の結合をもカバーすると解釈されるべきである。
【０１０４】
多くの変形、および修整は、本開示の利点を与えられて、本発明の主題の精神、および、範囲から離れることなく、当業者によってなされることができる。それゆえ、図解された実施形態は、例の目的のためにのみ与えられたものであり、以下のクレームによって定義される発明の主題を限定するものと解釈されるべきではない。以下のクレームは、それゆえ、文字通り設定された要素の結合のみを含むのではなく、実質的に同じ機能を、実質的に同じ結果を得るよう、実質的に同じ方法で遂行するすべての等価な要素を含むよう、読まれるべきである。クレームは、このように、上記で特定的に図解され、記述されたもの、概念的に等価なもの、および本発明の主題の本質的なアイデアを組み入れているもの、をも含むように理解されるべきである。
【図１】
0005781730.tif 000002
【図２】
0005781730.tif 000003
【図３】
0005781730.tif 000004
【図４】
0005781730.tif 000005
【図５】
0005781730.tif 000006
【図６】
0005781730.tif 000007
【図７】
0005781730.tif 000008
【図８】
0005781730.tif 000009